(57)【要約】  三次元の物品に直接印刷する、及び／又は三次元の物品を装飾するための装置及び方法、並びにそれらにより印刷された物品及び／又は装飾された物品を含む、物品（２２）に物質を堆積させる装置（２０）及び方法が開示されている。装置は、少なくとも第１のステーション（２５）及び第２のステーション（２５）を、その上に又はそれに近接して有するコンベヤー（２４）を含む。第１のステーションに位置する第１の物質堆積デバイス（２６）及び第２のステーションに位置する機能デバイス（２６）などの第２のデバイスが存在する。装置及び方法は、第１の物質堆積デバイスが位置する少なくとも第１のステーションで、少なくとも２つのステーション内移動のサイクルが、物品と堆積デバイスとの間で発生するようなものである。物品と堆積デバイスとの間の相対動作は、実質的に並進であり得る。物質堆積デバイスは、ステーション内移動の間に配列内の物品に物質を堆積させて、所定のパターンの異なる部分を形成することができる。
2018532614.tif 000002
【特許請求の範囲】
【請求項１】
所定のパターンで物品の表面上に物質を堆積させるためのプロセスであって、
ａ）物品の前記表面上に物質を堆積させるための装置を提供する工程であって、前記装置が、
１）物品を搬送方向に少なくとも２つのステーションへと移送するためのコンベヤーであって、前記ステーションが少なくとも第１のステーションと、第２のステーションと、を含むコンベヤーと、
２）前記第１のステーションに位置する第１の物質堆積デバイスと、前記第２のステーションに位置する機能デバイスを含む第２のデバイスと、を含む少なくとも１つの物質堆積デバイスであって、前記プロセスが、少なくとも前記第１のステーションで少なくとも２つのステーション内移動のサイクルが生じることを特徴とする、物質堆積デバイスと、を含む工程と、
ｂ）表面を有する少なくとも１つの三次元物品を提供する工程と、
ｃ）前記物品が前記第１のステーションで前記物品の前記表面を前記第１の物質堆積デバイスに向けて前記第１の物質堆積デバイスに隣接するように、前記コンベヤーを用いて、前記搬送方向に前記物品を搬送する工程と、
ｄ）前記第１のステーションにある間に、少なくとも２つのステーション内移動のうちの第１の移動で、前記物品及び／又は前記第１の物質堆積デバイスを移動させ、前記第１の物質堆積デバイスが前記物品の前記表面上に第１の物質を堆積させ、その結果前記第１の物質が第１の配列で堆積されて前記所定のパターンの一部のみを形成する工程と、
ｅ）更に前記第１のステーションにある間に、少なくとも２つのステーション内移動のうちの第２の移動で、前記物品及び／又は前記第１の物質堆積デバイスを移動させ、前記第１の物質堆積デバイスが前記第１の配列内で前記物品の前記表面上に前記第１の物質の第２の適用を堆積させて、形成されるべき前記所定のパターンの別の部分を形成する工程と、を含み、
工程ｄ）及びｅ）における前記物品及び／又は堆積デバイスを移動させる前記工程が、前記物品と堆積デバイスとの間の前記相対動作が実質的に並進であるような工程である、プロセス。
【請求項２】
前記コンベヤーが、前記物品を前記第１のステーションと前記第２のステーションとの間の線形経路に沿って移送する、請求項１に記載のプロセス。
【請求項３】
前記コンベヤーが、前記物品を前記第１のステーションと前記第２のステーションとの間の経路に沿って移送し、前記経路の少なくとも一部が、非線形であり、好ましくは、前記コンベヤーが、前記物品を閉ループの形状である経路に沿って移送する、請求項１に記載のプロセス。
【請求項４】
前記閉ループ経路が、少なくとも１つの軸を有し、前記第１及び第２のステーション内移動が、前記軸に対して平行である、請求項３に記載のプロセス。
【請求項５】
前記閉ループ経路が、少なくとも１つの軸を有し、前記第１及び第２のステーション内移動が、前記軸に対して垂直である、請求項３に記載のプロセス。
【請求項６】
前記第１のステーション内移動及び前記第２のステーション内移動の前記方向が、同一である、請求項１〜５のいずれか一項に記載のプロセス。
【請求項７】
前記第１のステーション内移動及び前記第２のステーション内移動が、反対の方向である、請求項１〜５のいずれか一項に記載のプロセス。
【請求項８】
工程ｄ）の後、かつ工程ｅ）の前に前記第１のステーション内移動の前記方向に対して所定の角度で前記物品及び堆積デバイスのうち少なくとも１つをシフトさせる工程を更に含む、請求項６又は７に記載のプロセス。
【請求項９】
前記第２のステーションに位置する前記機能デバイスが、第２の堆積デバイスを含み、好ましくは、前記少なくとも２つのステーションで前記物質堆積デバイスが、少なくとも１つの組成特性において前記２つのステーション間で異なる物質を堆積する、請求項１に記載のプロセス。
【請求項１０】
前記装置が、前記コンベヤーに接合されている前記物品用のホルダーを更に含み、好ましくは、前記ホルダーが、前記コンベヤーに取り外し可能に接合されており、前記ホルダーが前記コンベヤーから取り外され、前記ホルダー内に挿入された少なくとも１つの物品を有することができ、前記ホルダーが、次に前記ホルダーを前記コンベヤーから取り外して１つ以上の追加の物品を受容することが所望されるまで前記コンベヤーに接合され得る、請求項１に記載のプロセス。
【請求項１１】
前記装置が、１つのステーションにおける物品グループ及び別のステーションにおける別の物品グループを保持するように構成されており、１つのステーションと別のステーションとにおける物品グループ間の前記相対位置は、前記物品グループが前記コンベヤーによって移送されている間同じままになる、請求項１に記載のプロセス。
【請求項１２】
１つ以上のステーションで前記物品を装飾する工程を更に含み、前記物品を装飾する前記工程が、前記物品に対してコールド箔を適用するための１つ以上のステーションにおいて、前記物品を金属材料で装飾することを含み、その工程が好ましくは、前記物品に対して前記金属材料を接着するために前記物品に接着剤をデジタル的に印刷することを含む、請求項１に記載のプロセス。
【発明の詳細な説明】
【技術分野】
【０００１】
本発明は、三次元の物品に直接印刷する装置及び方法、並びに／又は三次元の物品を装飾する装置及び方法を含む、物品の表面上に物質を堆積させるための装置及び方法、並びにそれにより印刷される物品及び／又は装飾される物品を対象とする。
【背景技術】
【０００２】
印刷の様々な装置及び方法が、特許文献において、及びインターネット上に開示されている。印刷の装置及び方法を開示する特許公報としては、米国特許第６，１３５，６５４号（Ｊｅｎｎｅｌ）、同第６，６９９，３５２（Ｂ２）号（Ｓａｗａｔｓｋｙ）、同第７，２１０，４０８（Ｂ２）号（Ｕｐｔｅｒｇｒｏｖｅ）、同第７，４６７，８４７（Ｂ２）号（Ｂａｘｔｅｒら）、同第８，５２２，９８９（Ｂ２）号（Ｕｐｔｅｒｇｒｏｖｅ）、同第８，５７９，４０２（Ｂ２）号（Ｕｐｔｅｒｇｒｏｖｅ）、同第８，６６７，８９５（Ｂ２）号（Ｇｅｒｉｇｋら）、並びに米国特許出願公開第２０１１／０２３２５１４（Ａ１）号（Ｐｕｔｚｅｒら）、同第２０１３／００１９５６６（Ａ１）号（Ｓｃｈａｃｈ）、及び同第２０１４／０２８５６００（Ａ１）号（Ｄｏｍｅｉｅｒら）、並びにフランス特許第３００１９１５号が挙げられる。その他のタイプの装置及び方法としては、Ｂｒｏａｄの名前で出願された米国特許出願公開第２０１２／００３１５４８（Ａ１）号、「Ａｐｐａｒａｔｕｓ  ａｎｄ  Ｍｅｔｈｏｄ  ｆｏｒ  Ａｐｐｌｙｉｎｇ  ａ  Ｌａｂｅｌ  ｔｏ  ａ  Ｎｏｎ−Ｒｕｌｅｄ  Ｓｕｒｆａｃｅ」に開示される装置及び方法が挙げられる。
【０００３】
多くの現在の取り組みは、ボトルなどの三次元の物品への印刷、特にインクジェット印刷を目的としている。現在の印刷装置は、シングルパスタイプ又はマルチパスタイプのどちらかであり得る。シングルパス装置は、マルチパス装置より速いという利点を有する。マルチパス装置は、より良好な品質を実現することができるが、インデキシング方式ではプリントヘッドが物品を複数回通過する必要があるので、シングルパス装置よりも遅い。残念ながら、現在のインクジェット技術及び現在の印刷装置を用いて三次元の物品に直接印刷することによって形成され得るラベルなどの印刷の品質は、別個に印刷された平坦なラベル上に形成されたものほど良好ではない。取り組みのほとんどは、シングルパス装置の品質を改善しようとすることを目的とするように見える。
【先行技術文献】
【特許文献】
【０００４】
【特許文献１】米国特許第６，１３５，６５４号
【特許文献２】米国特許第６，６９９，３５２（Ｂ２）号
【特許文献３】米国特許第７，２１０，４０８（Ｂ２）号
【特許文献４】米国特許第７，４６７，８４７（Ｂ２）号
【特許文献５】米国特許第８，５２２，９８９（Ｂ２）号
【特許文献６】米国特許第８，５７９，４０２（Ｂ２）号
【特許文献７】米国特許第８，６６７，８９５（Ｂ２）号
【特許文献８】米国特許出願公開第２０１１／０２３２５１４（Ａ１）号
【特許文献９】米国特許出願公開第２０１３／００１９５６６（Ａ１）号
【特許文献１０】米国特許出願公開第２０１４／０２８５６００（Ａ１）号
【特許文献１１】フランス特許第３００１９１５号
【特許文献１２】米国特許出願公開第２０１２／００３１５４８（Ａ１）号
【発明の概要】
【発明が解決しようとする課題】
【０００５】
印刷、特に三次元の物品への印刷に関する改善された装置及び方法の必要性が存在する。
【課題を解決するための手段】
【０００６】
本発明は、三次元の物品に直接印刷する装置及び方法、並びに／又は三次元の物品を装飾する装置及び方法を含む、物品の表面上に物質を堆積させるための装置及び方法、並びにそれにより印刷される物品及び／又は装飾される物品を対象とする。
【０００７】
装置は、搬送方向に物品を移送するためのコンベヤーを備える。コンベヤーは、その上に又は近接して第１のステーション及び第２のステーションを含む少なくとも２つのステーションを備える。装置は、少なくとも１つの物質堆積デバイスを更に備えてもよい。第１の物質堆積デバイスは、第１のステーションに位置し、機能デバイスなどの第２のデバイスは、物品上で機能を実行するための第２のステーションに位置する。物質堆積デバイスは、第１の物質堆積デバイスが位置する少なくとも第１のステーションで、少なくとも２つのステーション内移動のサイクルを使用して物質を物品上に堆積させるように動作し得る。
【０００８】
装置は、物品上で機能を実行するための１つ以上の追加のステーションにおいてオプションの機能デバイスを更に備えてもよい。機能デバイスとしては、追加の物質堆積デバイス、物品を処理するためのデバイス（例えば、物品の表面を処理する、又は物品に適用される物質を硬化するためのデバイス）、物品を装飾するためのデバイス（例えば、金属箔の適用）、物品の特性を変えるためのデバイス（例えば、レーザー）、又はこれらの組み合わせを挙げることができるが、それらに限定されない。
【０００９】
場合によっては、方法は、所定のパターンで物品上に物質を堆積させるためのプロセスであって、
ａ）上記の装置など装置を提供する工程と、
ｂ）表面を有する少なくとも１つの三次元物品を提供する工程と、
ｃ）コンベヤーを用いて、物品が第１のステーションで物品の表面を第１の物質堆積デバイスに向けて第１の物質堆積デバイスに隣接するように、搬送方向に物品を搬送する工程と、
ｄ）第１のステーションにある間に、少なくとも２つのステーション内移動のうちの第１の移動で、物品及び／又は第１の物質堆積デバイスを移動させ、その間に第１の物質堆積デバイスが物品の表面上に第１の物質を堆積させ、その結果第１の物質が第１の配列で堆積されて所定のパターンの一部のみを形成する工程と、
ｅ）更に第１のステーションにある間に、少なくとも２つのステーション内移動のうちの第２の移動で、物品及び／又は第１の物質堆積デバイスを移動させ、その間に第１の物質堆積デバイスが第１の配列内で物品の表面上に第２に適用する物質を堆積させて、所定のパターンの別の部分を形成する工程と、を含み、
工程ｄ）及びｅ）における物品及び／又は堆積デバイスを移動させる工程が、物品と堆積デバイスとの間の主要な相対動作が実質的に並進であるような工程である、プロセスを含む。
【００１０】
場合によっては、物品と堆積デバイスとの間の相対動作は、単に並進であり得る。そのような場合において、堆積デバイスに対する物品自身の軸を中心とした物品の回転移動は存在しないであろう。しかしながら、他のタイプの相対動作もまた可能である。例えば、特定の実施形態において、堆積デバイスに物品の異なる部分を提示するために物品を移動させることが所望される場合がある。場合によっては、回転コンポーネント（又は２次動作）を並進による移動（物質堆積中の主要な移動）に追加することができる。ただし、物品自身の軸を中心とした物品の任意の回転は、３６０度未満とする必要がある。
【図面の簡単な説明】
【００１１】
【図１】物品の表面上に物質を堆積させるための装置の一実施形態の斜視図である。
【図１Ａ】印刷ヘッドの２つのステーション内移動のうちの第１の移動を示す、図１に示される装置のステーションのうちの１つの概略正面図である。
【図１Ｂ】ステーション内移動間のオプションのオフセット／シフトを示す、図１Ａに示される装置のステーションの概略正面図である。
【図１Ｃ】印刷ヘッドの２つのステーション内移動のうちの第２の移動中の印刷ヘッドを示す、図１Ａに示される装置のステーションの概略正面図である。
【図２Ａ】印刷ヘッドの２つのステーション内移動のうちの第１の移動の別の実施形態を示す、図１に示される装置のステーションのうちの１つの概略正面図である。
【図２Ｂ】ステーション内移動間のオプションのリセット動作を示す、図２Ａに示される装置のステーションの概略正面図である。
【図２Ｃ】ステーション内移動間のオプションのオフセット／シフトを示す、図２Ａに示される装置のステーションの概略正面図である。
【図２Ｄ】２つのステーション内移動のうちの第２の移動中の印刷ヘッドを示す、図２Ａに示される装置のステーションの概略正面図である。
【図３Ａ】ホルダーを内部の物品と共に移動させる２つのステーション内移動のうちの第１の移動の別の実施形態を示す、図１に示される装置のステーションのうちの１つの概略正面図である。
【図３Ｂ】ステーション内移動間のホルダーのオプションのオフセット／シフトを示す、図３Ａに示される装置のステーションの概略正面図である。
【図３Ｃ】ホルダーの２つのステーション内移動のうちの第２の移動を示す、図３Ａに示される装置のステーションの概略正面図である。
【図４Ａ】ホルダーを内部の物品と共に移動させる２つのステーション内移動のうちの第１の移動を示す、図１に示される装置のステーションのうちの１つの概略正面図である。
【図４Ｂ】ステーション内移動間のホルダーのオプションのリセット動作を示す、図４Ａに示される装置のステーションの概略正面図である。
【図４Ｃ】ステーション内移動間のホルダーのオプションのオフセット／シフトを示す、図４Ａに示される装置のステーションの概略正面図である。
【図４Ｄ】ホルダーの２つのステーション内移動のうちの第２の移動を示す、図４Ａに示される装置のステーションの概略正面図である。
【図５】物品上に物質を堆積させるための装置の別の実施形態の概略的側面図である。
【図６】物品上に物質を堆積させるための装置の別の実施形態の概略的側面図である。
【図７】上部にあるノズルの配置の一例を示す印刷ヘッドの概略正面図である。
【図８Ａ】２工程印刷プロセスで物品の表面に印刷される所定のパターン全体の一部のみを形成するピクセルの配列の二次元表示の一例の概略正面図である。
【図８Ｂ】２工程印刷プロセスで物品の表面に印刷される所定のパターン全体を形成するピクセルの配列の二次元表示の概略正面図である。
【図８Ｃ】４工程印刷プロセスで物品の表面に印刷される所定のパターン全体の第１の部分を形成するピクセルの配列の二次元表示の一例の概略正面図である。
【図８Ｄ】４工程印刷プロセスで物品の表面に印刷される所定のパターン全体の第１及び第２の部分を形成するピクセルの配列の二次元表示の一例の概略正面図である。
【図８Ｅ】４工程印刷プロセスで物品の表面に印刷される所定のパターン全体の第１、第２、及び第３の部分を形成するピクセルの配列の二次元表示の一例の概略正面図である。
【図８Ｆ】４工程印刷プロセスで物品の表面に印刷される所定のパターン全体を形成するピクセルの配列の二次元表示の概略正面図である。
【図９】物品と印刷ヘッドとの間の並進移動を示す物品及び印刷ヘッドの側部を見る概略図である。
【図１０Ａ】金属箔を物品に適用する工程を実施するためのステーションの一実施形態の概略的側面図である。
【図１０Ｂ】金属箔を物品に適用する工程を実施するためのステーションの代替的な実施形態の概略的側面図である。
【００１２】
図面に示される方法、装置（複数可）、及び物品の実施形態は、本来は、例証となるものであり、「特許請求の範囲」によって定義された本発明を制限することを意図しない。更に、本発明の各特徴は、発明を実施するための形態に照らし合わせれば、より完全に明確になり理解されるであろう。
【発明を実施するための形態】
【００１３】
本発明は、三次元の物品に直接印刷する装置及び方法、並びに／又は三次元の物品を装飾する装置及び方法を含む、物品の表面上に物質を堆積させるための装置及び方法、並びにそれにより印刷される物品及び／又は装飾される物品を対象とする。
【００１４】
図１は、少なくとも１つの物品１０の表面上に物質２２を堆積させるための装置２０の１つの非限定的な実施形態を示す。図１に示すように、装置２０は、少なくとも１つの物品１０を全体として２５で指定される少なくとも２つのステーションに搬送する物品コンベヤー２４を備える。コンベヤー２４に沿って、例えば２〜２０以上などの任意の好適な数のステーション２５が存在し得る。少なくとも２つのステーションが、単一のコンベヤー２４と関連している。ステーション２５は、それぞれ物品（複数可）上で機能を実行するために使用される。ステーション２５は、（物質堆積デバイス２６を用いて）物品上に物質２２を堆積するためのステーション、物品を装飾するためのステーション、及び／又は物品上で他の機能を実行するためのステーションを含むことができる。個々のステーションは、２５Ａ、２５Ｂ、２５Ｃなどと指定することができる。
【００１５】
装置２０は、少なくとも１つの物質堆積デバイス２６を備えてもよい。物質堆積デバイスは、第１のステーション２５Ａに位置する第１の物質堆積デバイス２６Ａを備える。堆積デバイス２６Ｂであり得る（又はそうでなくてもよい）機能デバイスなど第２のデバイスは、第２のステーション２５Ｂに位置し得る。「第１の」ステーションとして１つのステーション、及び「第２の」ステーションとして１つのステーションの指定は、１つのステーション（第１のステーション）が存在し、別のステーション（第２のステーション）が存在することを意味するようにのみ意図されている。これらの指定は、第１のステーションが物品上で実行される全く初めての動作の位置であること、及び第２のステーションが物品上で実行される２番目の動作の位置であることを意味するものではない。これらの指定は、第２のステーションにおける動作が、第１のステーションでの動作の後に順に行う必要があることを意味するものではない。第１及び第２のステーションで実行される動作は、任意の順序で行なわれ得る。第１のステーションでの動作は、第２のステーションでの動作の前に発生し得るか、又は第２のステーションでの動作は、第１のステーションでの動作の前に発生し得る。これらの指定は、第１のステーションと第２のステーションとの間にステーションが存在してはいけないことを意味するものでもない。このようにして、第１及び第２のステーションは、互いに隣接してもよく、又は隣接していなくてもよい。物質堆積デバイスは、第１の物質堆積デバイス２６Ａが位置する少なくとも第１のステーション２５Ａで、少なくとも２つのステーション内移動のサイクルを使用して物質を物品１０上に堆積させるようなものである。
【００１６】
装置２０を使用して、多数の異なるタイプの三次元の物品１０上で機能を実行することができる。そのような物品には、ボトル、ボックス、缶、箱、容器、洗濯用投入ボール（laundry dosing balls）、かみそり、かみそり刃ヘッド及びハンドルなどの消費者製品の構成要素、噴霧器トリガ、たらい、限定するものではないがタンポンの筒などの筒、並びにデオドラントスティック容器などが挙げられるが、これらに限定されない。物品としては、使い捨て消費者製品を含む消費者製品の一次パッケージを挙げることができる。更なる物品としては、ボトルキャップ、栓、及び続いて完成したボトルの形状に吹き込まれるボトルのプリフォームが挙げられるがこれらに限定されない容器又はパッケージの構成要素が挙げられる。装置２０を使用して、空容器、部分的に充填された容器、又は充填された容器を搬送及び印刷することができる。容器は、全体又は一部に剛性又は可撓性の構造を有することができる。そのような容器は、キャップをしていても、キャップをしていなくてもよい。物品は、プラスチック、金属、及び／又はボール紙が挙げられるがこれらに限定されない任意の好適な材料で作製され得る。
【００１７】
物品１０は、三次元の場合、典型的には少なくとも２つの対向端部を有する。例えば、ボトルは、ベース部及び頂部を有することになる。物品１０はまた、前部、後部、及び側部も有し得る。物品１０はまた、表面１２も有することになる。物品１０は、例えば、一部のかみそり刃のハンドルの場合のように固体、又はボトルの場合のように中空であり得る。物品が中空である場合、それらはまた内部も有する。物品１０の表面は、平坦であるか又は湾曲していてもよい。表面全体が平坦であるか又は湾曲しているかのどちらかである必要はない。例えば、物品１０の表面は、平坦である部分、湾曲している部分を有してもよいか、又は表面は、平坦な部分と湾曲した部分の両方を有してもよい。例えば、ボトルの場合において、表面の少なくとも一部は、凸状湾曲を有してもよい。いくつかの物品が、一部に凹状湾曲を有する表面を有し得ることもまた可能である。
【００１８】
「コンベヤー」という用語は、本明細書で使用するとき、一般的に物品を移動させるデバイスを指し、コンベヤーベルトに限定されない。コンベヤー２４は、堆積デバイス（複数可）２６及び任意の機能デバイスを通過して物品（複数可）１０を搬送するための任意の好適なタイプのデバイスであり得る。好適なコンベヤーとしては、旋回回転タレット（turning rotary turrets）を含むタレットコンベヤー、旋回及び回転ホイール（turning and rotary wheels）を含むスターホイールコンベヤー、トラック、ベルト、チェーンなどの形態であってもよい無限ループコンベヤーが挙げられるがこれらに限定されない。
【００１９】
コンベヤー２４は、任意の好適な数の物品１０を一定時間保持することができる。好適な数の物品１０は、１〜２００個以上の物品であり得る。物品（複数可）１０を、ステーションに提示するためにコンベヤー上に個々に配置することができる、又はそれらを、単一のステーションに提示するためにコンベヤー上に２つ又はそれ以上の物品のグループで配置することができる。一定時間におけるコンベヤー上の物品又は物品グループは、典型的には後続の処理のために物品がコンベヤー２４から取り除かれるまで、全て同じ経路Ｐ上を進行する。一定時間におけるコンベヤー２４上の物品１０の数は、コンベヤー２４上に又はこれに近接して配設されたステーション２５の数と比べて、小さい、等しい、又は大きくてもよい。
【００２０】
物品（複数可）１０は、コンベヤー２４上の所定部位、例えばコンベヤー２４内の凹部又はウェルなどにそれぞれ配置されてもよい。物品１０は、物品コンベヤー２４上で任意の好適な配向にすることができる。例えば、物品１０は、コンベヤー２４上で（及び任意の物品ホルダー３０内で）直立の配向、又は上下逆の配向で位置し得る。あるいは、物品１０は、コンベヤー２４上に（及び任意の物品ホルダー３０内に）平らに置かれてもよい。唯一の必要条件は、物品１０に物質２２を堆積させたいときに、物質２２が堆積される物品１０の表面１２の部分が堆積デバイス２６に露出されるべきであるということである。
【００２１】
物品（複数可）１０は、真空によってなど任意の好適な方法でコンベヤー２４上の適所に保持され得る。あるいは、図１に示すように、コンベヤー２４は、少なくとも１つのオプションの物品１０用ホルダー３０を備えてもよく、ホルダー３０は、コンベヤー２４に接合されている。「接合した」という用語は、ある要素を他の要素に直接固着することによって、要素を別の要素に直接固定する構成；ある要素を中間部材（類）に固着し、次にその中間部材を他の要素に固着することによって、ある要素を他の要素に間接的に固定する構成；ある要素が別の要素と一体化する構成、即ち、ある要素が他の要素の本質的な一部分である構成；を包含する。ホルダー（複数可）３０は、永続的にコンベヤー２４に接合されているか、又は取り外し可能にコンベヤー２４に接合されているかのどちらかであり得る。
【００２２】
ホルダー３０は、任意の好適な形態であり得る。好適なホルダーとして、ブラケット、パック若しくはトレー、把持部、クランプ、吸引デバイス、又は指部が挙げられるが、これらに限定されない。ホルダー３０は、１つ以上の物品を保持してもよい。図１に示す実施形態において、ホルダー３０は、多数の物品を保持するためのトレーの形態である。ホルダー３０が多数の物品を保持するとき、物品１０は、直線的配置及び並列配置を含むがこれらに限定されない任意の好適な配置にすることができる。図１に示す実施形態において、物品１０は、別の物品と並列の各物品と縦の配列で配向された物品と直線的配置にある。所与のホルダー内の物品は、全て同じであり得る、又は異なり得る。物品が異なると言われるとき、タイプ、寸法、及び／又は形状が挙げられるが、これらに限定されない任意の既知の様式において異なり得る。２つ以上のホルダー３０が存在する場合は、ホルダーは、任意の好適な配置でコンベヤー２４に接合され得る。好適な配置としては、円形コンベヤー２４を取り巻く放射状配列が挙げられるがこれに限定されない。異なるホルダー３０内の物品もまた、任意の既知の様式において異なってもよい。これらの又は他の実施形態において、例えば、カスタマイズされた物品又は物品用の包装を提供することが望ましい場合、異なるホルダー３０内の物品１０は、異なって印刷又は装飾され得る。
【００２３】
ホルダー３０が、取り外し可能にコンベヤー２４に接合されている場合、ホルダー３０に、任意の好適な方法で物品１０を装填することができる。例えば、ホルダー３０は、コンベヤー２４から取り外し、少なくとも１つの物品をホルダー内に装填することができ、ホルダー３０は、次いでコンベヤーに接合され得る。ホルダー３０をコンベヤー２４から取り外して後続の工程に物品を送り、その中に１つ以上の新しい物品を有するホルダーを受容することが所望されるまで、ホルダー３０をコンベヤー２４に接合したままにすることができる。
【００２４】
他の実施形態では、図６に示すような、装置２０に近接している機械動作デバイス（ロボットなど）２８を提供することができる。かかる実施形態において装置２０及び機械動作デバイス２８は、ａ）ホルダー内及び／又はコンベヤー２４上に物品を装填し、取り出すこと、並びにｂ）物品１０上に物質を堆積させることを行うためのシステムを備えると見なされ得る。機械動作デバイス２８は、物品を動かすことが可能な任意の好適なデバイスであってよい。機械動作デバイスには、独立作動式自動アーム、空圧アーム、ロボット、及び機械的運動要素が挙げられるが、これらに限定されない。いくつかの実施形態では、物品１０を、機械動作デバイス２８によってホルダー３０内に装填し、ホルダーから取り外すことができる。任意の好適な数の物品を、一定の時間でホルダー３０内に装填しホルダー３０から取り外すことができる。他の実施形態では、ホルダー（複数可）３０は、既にその中に物品１０を備えていて、機械動作デバイスは、ホルダー３０をコンベヤー２４上に装填し、プロセス（複数可）が物品上で実行された後にホルダー３０を取り外すことができる。
【００２５】
図１に示すように、コンベヤー２４は、水平面内で、この場合は垂直である軸Ａの周りを大きな矢印Ｆの方向に回転し得る。装置２０が、デカルト座標系に位置すると考えられる場合、この説明のために垂直方向は、Ｚ軸の方向であると考えられるであろう。図１では、コンベヤー２４は、Ｘ−Ｙ平面に配向され、回転方向Ｆは、時計と反対方向である。他の実施形態において、回転方向は、時計と反対方向であってもよい。コンベヤー２４は、等速で回転してもよいか、又は必要に応じて回転速度を変えてもよい。コンベヤー２４の回転は、連続的であってよいか、又は必要に応じて断続的であってよい。物品（複数可）１０は、物品（複数可）１０が搬送される経路Ｐに沿った任意の所与の場所における物品１０の移動方向（即ち、搬送方向）（及び速度）を表すベクトルＶを有する。
【００２６】
装置２０及び方法は、物品（複数可）１０の表面に物質２２を堆積させる。装置２０及び方法は、物品（複数可）１０の表面に直接印刷する及び／又はこれを装飾するのに特に有用である。例えば、ボトルなどの物品に予め印刷されたラベルを貼り付ける代わりに、装置及び方法を使用して物品にラベルの内容を直接印刷することができる。当然ながら、装置及び方法は、物品のラベルとしての役割を果たす内容を印刷することに限定されない。装置及び方法はまた、デザインを印刷すること、又は物品１０での材料堆積によって物品に視覚、触覚、若しくは嗅覚の効果をもたらすことによってなど物品を装飾するのにも有用である。
【００２７】
装置２０は、任意の好適な数、配置、及びタイプの堆積デバイス（複数可）２６を備えることができる。例えば、装置は、１〜２０個又はそれ以上の堆積デバイス（複数可）２６、あるいは、２〜１０個の堆積デバイス（複数可）２６を備えてもよい。このようにして、複数の堆積デバイス２６が存在してもよい。堆積デバイス（複数可）２６は、コンベヤー２４に接合されるか、又はその上に位置することができる。あるいは、堆積デバイス（複数可）２６は、コンベヤー２４に近接して位置することができる。堆積デバイス（複数可）が本明細書でコンベヤー２４に「隣接して」位置していると説明されるとき、デバイス２６とコンベヤー２４（及び物品１０）との間に間隔が存在してもよい。しかしながら、堆積デバイス２６と物品１０の予定された堆積表面１２との間の間隔は、所望される所定のパターンで物質を堆積するために堆積デバイス２６の有効堆積距離を超えるべきではない。例えば、堆積デバイス２６がインクジェット印刷ヘッドであり、インクジェット印刷ヘッドの堆積範囲が、約０．５〜１０ｍｍである場合、堆積デバイス２６は、物品１０の予定された堆積表面１２がそのような堆積範囲内に入るようにコンベヤー２４に十分接近して、又は近接して位置するべきである。堆積デバイス（複数可）２６は、物品コンベヤー２４に沿って離間した関係で配置されてもよい。あるいは、堆積デバイス（複数可）２６の１つ以上を、堆積デバイス（複数可）２６の別の１つと隣接し、かつこれと接触して位置させてもよい。
【００２８】
堆積デバイス（複数可）２６は、物品１０の移動経路Ｐの内側又は図１に示すように外側に位置付けられ得る。堆積デバイス（複数可）２６がコンベヤー上に横になる実施形態では、堆積デバイス（複数可）２６は、物品コンベヤー２４上の物品１０の上方に位置付けられ得る。堆積デバイス２６は、地面に対して静止若しくは固定され得るか、又は（後述のように）移動可能であり得る。堆積デバイス２６が移動可能である場合、堆積デバイス２６は、その移動を特定の方向及び特定の量に限定してよい。
【００２９】
物質堆積デバイス（複数可）（「堆積デバイス（複数可）」）２６は、任意の好適な物質（すなわち「材料」）を物品１０に堆積させることができる。堆積デバイスは、直接、若しくは材料を介し物品に間接的に圧力を加えることによって、物品に接触するタイプ（「接触」）のもの、又は物品１０に接触しないタイプ（「非接触」）のもののどちらかであり得る。本開示の目的では、物品にインクを噴霧することは、非接触であると見なされる。堆積デバイス２６は、印刷ヘッド、ノズル、及びその他のタイプの材料堆積デバイスが挙げられるが、これらに限定されない、任意の好適なタイプのデバイスであり得る。印刷ヘッドの場合において、ピエゾインクジェット印刷ヘッド、サーマルインクジェット印刷ヘッド、静電印刷ヘッド、及び／又は印刷弁印刷ヘッドが挙げられるがこれらに限定されない任意の好適なタイプの印刷ヘッドを使用することができる。印刷ヘッドは、ドロップオンデマンドタイプの堆積デバイスであってもよい。「ドロップオンデマンド」とは、印刷ヘッドが、言葉、図形（例えば、写真）、又はデザインの形態でパターンを形成するように必要とされるときにのみノズルでインクの液滴を生成することを意味する。印刷ヘッドはまた、滴がノズルで連続して形成されるが、所望される滴だけが印刷ヘッドから離れて予定されたパターンを形成することを意味する「連続的」でもあり得る。インクジェット印刷ヘッドは、通常デジタル的に作動可能であり、コンピュータによって提供された画像を印刷することができる。
【００３０】
好適な物質又は材料としては、インク（ＵＶ硬化性インク、水性インク、及び溶媒性インクなど）、コーティング、及びローションが挙げられるが、これらに限定されない。材料は、任意の好適な形態で堆積され得る。好適な形態としては、液体、粉末、及びホットメルト（後者は加熱して流れ得る固体である）が挙げられるが、これらに限定されない。材料は、任意の好適なパターンで堆積され得る。好適なパターンは、規則的、不規則、又はランダムであってもよく、デザイン、画像、テキスト、しるし、テクスチャ、機能被膜、及びそれらの組み合わせが挙げられるが、これらに限定されない。
【００３１】
インクジェット印刷ヘッドは、典型的に多数のノズル４０を含むことになる。図７に示すように、印刷ヘッドは、直線状の軸Ｌを備える長さを有する。ノズル４０は、通常は、一般に、列に整列され、他のノズルのノズルにほぼ平行な特定の方向にインクを噴射するように構成される。印刷ヘッド２６上の各列内のノズル４０を、直線的に並べることができる。あるいは、ノズル４０は、印刷ヘッドの長い方の寸法（又は長さ）に対して斜めに配向された１つ以上の列をなしていてもよい。このようなノズル配列は両方とも、実質的に直線的に並べられていると考えることができる。インクジェット印刷ヘッドは、その中に任意の適切な数及び構成のノズルを含むことができる。１つの適切なインクジェット印刷ヘッドは、２．５４ｃｍあたり（１インチあたり）約３６０個のノズルを含む。Ｘａａｒ１００２は、本明細書で用いる好適な印刷ヘッドの例であり、Ｘａａｒ（Ｃａｍｂｒｉｄｇｅ，ＵＫ）から入手可能である。
【００３２】
インクジェット印刷ヘッドによって形成されるインクの液滴は、約１０マイクロメートル以下〜約２００マイクロメートル、又はそれ以上の範囲の直径とすることができる。インクの液滴を、所定の領域にわたって任意の好適な数で分配することができる。典型的に、インクジェット印刷では、インク液滴は、配列又はマトリックスを構成し、そこではインチ当たりの液滴の数（ＤＰＩ）が、印刷ヘッド又は印刷すべき物品の移動の方向及びそれに垂直な物品の表面上の方向で特定される。そのようなインク液滴４２のマトリックス又は配列の二次元表示を図８Ａ及び８Ｂに示す（本明細書に記載のプロセスにおいて、そのような配列又はマトリックスは、少なくとも部分的に三次元の（例えば、凸状又は凹状形などの湾曲した）表面に堆積されてもよいことが理解されよう）。物品の表面上に提供されてデジタル画像を形成するインク液滴の適用は、少なくとも１つの方向において、インチ当たりの液滴数（ＤＰＩ）で約２００以下〜最大で約２，８８０以上の範囲とすることができる。場合によっては、インクの液滴を、少なくとも１つの方向においてインチ当たりの液滴数で７００〜１，４４０の範囲のマトリックスで堆積させることができる。場合によっては、インクの液滴を、少なくとも１つの方向においてインチ当たりの液滴数で１，２００を超えるマトリックスで堆積させてもよい。
【００３３】
堆積デバイス（複数可）２６が印刷ヘッドを備えるとき、堆積デバイス２６のうち１つ以上は、印刷ユニット（又は「印刷ステーション」）を備えてもよい。インクジェット印刷ヘッドは、黒若しくはカラーインク、接着剤、又はクリアニスを印刷するように構成され得る。各印刷ユニットは、１〜４個以上の任意の好適な数の印刷ヘッドを備え得る。例えば、場合によっては、印刷ユニットは、多色印刷の異なる色集合を生成するためのＣＭＹＫ（シアン、マゼンタ、黄、及びキー（黒））配色用に４個の印刷ヘッドを備え得る。印刷ユニットはまた、追加の色（例えば、白及び若しくは特別な色など）のために、第１の印刷工程としての下塗りのため若しくはベース層（例えば接着剤）のために、及び／又は透明封止剤若しくは保護コーティングを適用するために、追加の印刷ヘッド（複数可）も備えてもよい。いくつかの実施形態では、オプションの下塗りに１つ以上、装飾コートに１つ以上、及びオプションの上塗りに１つ以上など多数の印刷ステーションが存在し得る。
【００３４】
インク（複数可）などの物質２２を、所定のパターンで物品（複数可）１０に直接適用してもよい。「所定のパターン」という用語は、本明細書で使用するとき、印刷の開始前に決定される言葉、図形（例えば、写真）、しるし又はデザインが挙げられるがこれらに限定されない任意のタイプの印刷したパターンを指す。装置２０及び方法は、少なくとも１つのステーションで、少なくとも２つのステーション内移動を使用して、物質の所定のパターンの異なる部分を物品に適用してもよい。
【００３５】
装置２０及び方法は、物品１０と物質堆積デバイス（複数可）２６との間で１つ以上のタイプの相対動作を生じさせてよい。相対動作は、（１）堆積デバイス２６に対して物品（複数可）１０を移動させること、（２）物品（複数可）１０に対して堆積デバイス２６を移動させること、又は物品（複数可）１０及び堆積デバイス２６の両方を互いに対して移動させること、のいずれかで生じ得る。物品（複数可）１０と堆積デバイス（複数可）２６との間に２つ以上の異なるタイプの相対動作が存在し得る。装置２０及び方法が物品１０と堆積デバイス２６との間に２つ以上の異なるタイプの相対動作を生じさせる場合は、これらを本明細書において第１のタイプの相対動作、第２のタイプの相対動作などと呼ぶことにする。
【００３６】
図１で矢印Ｆによって示される第１のタイプの相対動作は、コンベヤー２４が搬送方向に物品１０を搬送するときに生じる。コンベヤー２４の動きは、図６に示されるような線形、図１に示されるような非線形、又は図５に示されるような部分的に線形かつ部分的に非線形であってもよい。コンベヤー２４が線形動作で移動する場合、搬送方向は、１方向だけ存在することになる。コンベヤー２４が非線形動作で移動する場合、搬送方向は、第１、第２、第３の移動の方向Ｖ．．．などを含み得る。いくつかの実施形態では、コンベヤー２４は、再循環ループの形式であってもよい。再循環ループは、任意の好適な構成にすることができる。コンベヤー２４は、円経路などの曲線経路で、又は線形部分及び曲線部分の両方を含む経路で移動する（したがって、物品１０を移動させる）ことができる。そのような経路の非限定的な例としては、円経路、楕円経路、レーストラック型に構成された経路（図５）、及び他の閉ループ経路が挙げられる。その経路は、線形及び非線形の搬送方向を含んでもよく、非線形は、曲線状、円形、楕円形、弓状、ジグザグ形又は他の方向を含む。再循環ループの少なくとも一部の間に、物品（複数可）１０は、物品自体の軸と異なる（例えば、オフセットした）軸の周りで移動する。したがって、物品をそれ自体の軸の周りで急回転させること（容器をマンドレル上の容器自体の軸の周りで急回転させるなど）は、「再循環ループ」で物品を搬送しているとは見なされない。
【００３７】
図１に示す実施形態において、物品１０は、堆積デバイス２６に対して弓状の経路に沿って移動する。より具体的には、図１に示されるコンベヤー２４は、モーター（従来のもの、図示せず）で駆動し、「タレット」型回転デバイスにおいて回転軸Ａの周りに円経路Ｐで物品１０を移動させる。回転軸Ａは、図１に示されるような垂直方向（コンベヤーがカルーセルのように回転するように）、水平方向（コンベヤーが観覧車のように回転するように）、又は水平と垂直との間のいくつかの方向など、任意の好適な方向に配向されてもよい。
【００３８】
図１に示すように、物品１０が少なくとも部分的に非線形動作で移動する場合では、印刷ヘッドなどの堆積デバイス２６の法平面ＰＮは、それらがコンベヤー２４上の少なくとも特定の場所にあるとき、互いに対して平行にならない。しかしながら、タレットコンベヤー上の印刷ヘッドの法平面ＰＮは、タレットの両側（例えば、１２時と６時）にあるとき、互いに平行になる。特定の実施形態では、１つのステーション２５と他のステーションとの間の物品グループ間の相対位置は、プロセス全体を通して同じままとなって、１つのステーションにおいて物品１０に適用される物質と他のステーションにおいて物品に適用される物質（又はそこで実行される機能）の精密な位置合わせを可能にする。
【００３９】
第１のタイプの相対動作Ｆに加えて、少なくとも第１のステーション２５Ａにある間に、物品１０及び／又は第１の物質堆積デバイス２６は、少なくとも２つのステーション内移動のうちの第１の移動で移動し、その間に印刷ヘッド（複数可）２６などの第１の堆積デバイスは、物品（複数可）１０の表面上に所定のパターンの一部のみを堆積させる。更に第１のステーション２５Ａにある間に、少なくとも２つのステーション内移動のうちの第２の移動で、物品及び／又は第１の物質堆積デバイス２６Ａを移動させ、その間に第１の物質堆積デバイス２６Ａが第２に適用する第１の物質を物品１０上に堆積して形成されるべき所定のパターンの別の部分を形成する。「その間に（wherein）」という用語は、物質の堆積に関して本明細書で使用するとき、第１及び第２のステーション内移動と同時に（又は、その間中）物質を堆積することを含むが、これに限定されない）。少なくとも２つのステーション内移動が、少なくとも第１のステーションにおいて行われると本明細書に記載されるとき、同様の多数のステーション内移動は、第２、第３、又はコンベヤー２４に沿った他のステーションのいずれかで行われ得ることを理解されたい。
【００４０】
「少なくとも２つのステーション内移動」という用語は、本明細書で使用するとき、第１の配列（即ち、「第１のパス」）で物質２２を堆積させて所定のパターンの第１の部分を形成する第１の移動がステーション２５で行われ、第１の移動で堆積した所定のパターンの少なくとも一部を通過する第２の移動が同じステーションで行われ、第１の移動で堆積した所定のパターンの少なくとも一部を（「第２のパス」で）通過する間に、物質２２を第１の配列内で物品１０の表面に堆積させて所定のパターンの第２の部分を形成する、移動を指す。物質が第１の配列内で堆積して所定のパターンの他の部分を形成する、任意の好適な数のステーション内移動が存在し得る。第１のステーション内移動は、第１のステーションで行われる物品と堆積デバイス２６との間の全く初めての移動であってもよいが、そうである必要はないことを理解されたい。同様に、第２のステーション内移動は、第１のステーションで行われる物品と堆積デバイス２６との間の２番目の移動であってもよいが、そうである必要はない。少なくとも２つのステーション内移動が存在し、その間に後続のパス（「第２のステーション内移動」）で堆積したインク液滴が、前のパス（「第１のステーション内移動」）で堆積したインク液滴のマトリックスと少なくとも部分的に重複する又はこれに入るだけでよい。
【００４１】
ステーション内移動は、同じ又は異なる方向であり得る。したがって、場合によっては、ステーション内移動は、「ステーション内方向移動」と呼ばれてもよい。移動が異なる方向である場合、場合によっては、それらは反対方向であり得る。したがって、本明細書の定義に従って、単一の印刷「パス」を完了する過程で連続的又は断続的方法のどちらかによる点Ａから点Ｃへの単一方向（例えば、線形）の第１の堆積デバイスの移動は、（堆積デバイスが点ＡとＣとの間に位置する点Ｂを通って移動したとしても）少なくとも２つのステーション内移動を含むとは見なされない。そのような移動は、単一のステーション内移動であると見なされるだけとなる。
【００４２】
任意の好適な機構（複数可）又は動作デバイス３８を使用して、物品１０（又は中に物品を有するホルダー）又は２つのステーション内移動における堆積デバイス２６を移動させることができる。いくつかの実施形態では、単一の動作デバイス３８を、両方のステーション内移動に使用することができる。他の実施形態では、別個の動作デバイス３８を、それぞれのステーション内移動に使用することができる。好適な動作デバイス３８としては、リニアモーター、回転モーター、油圧スライド、及び空気スライドが挙げられるが、それらに限定されない。場合によっては、ホルダー３０を、動作デバイス３８に接合することができ、動作デバイス３８をコンベヤー２４に接合することができる。この構成は、物品１０をコンベヤー２４に対して移動できるようにする。いくつかの場合では、堆積デバイス２６を、コンベヤー２４に隣接して静的に取り付けることになり、したがって、動作デバイス３８は、物品１０と堆積デバイス２６との間の相対動作を可能にし得る。物品１０上の物質２２の堆積は、一般にステーション内移動中に発生することになる。
【００４３】
所定のパターンの部分は、いくつかの可能な形状をとることができる。所定のパターンは、典型的に物品の所定の区域をカバーすることになる。所定のパターンの任意の好適な部分を、任意の好適な数のステーション内移動においてそれぞれのステーション内移動中に印刷して、完全な所定のパターンを形成することができる。
【００４４】
例えば、いくつかの実施形態では、図８Ａ及び８Ｂに示すように、堆積デバイス（複数可）２６は、第１のステーション内移動Ｍ１の間に所定のパターンの一部を形成する複数の離間したインク液滴４２Ａを堆積させるようにプログラムしてもよく、次いで第２のステーション内移動Ｍ２、及び任意の後続のステーション内移動において、堆積デバイス（複数可）２６は、第１のステーション内移動Ｍ１で堆積した液滴４２Ａの間にインク液滴４２Ｂを入れることができる。
【００４５】
図８Ａ及び８Ｂに示すように、インク液滴４２Ａ及び４２Ｂは、それぞれ配列で堆積している。配列は、高さＨ及び幅Ｗを有する。図８Ａ及び８Ｂはまた、それぞれのステーション内移動で堆積するインク液滴に対してノズル４０の指定された位置Ｎ１、Ｎ２なども示す。第１のステーション内移動Ｍ１及び後続のステーション内移動（複数可）で堆積したインクの液滴４２Ａは、一緒に、図８Ｂに示される所定のパターン全体を作り上げる。
【００４６】
別の非限定的な実施形態として、図８Ｃ〜図８Ｆに示すように、堆積デバイス（複数可）２６は、４工程印刷プロセスで物品の表面上に印刷されるべき所定のパターンの異なる部分を形成する複数の離間したインク液滴を堆積させるようにプログラムしてもよい。図８Ｃは、ピクセル又は液滴の配列の１つの例を示しており、この配列は、第１のステーション内移動Ｍ１の間に堆積して、４工程印刷プロセスで物品の表面上に印刷されるべき所定のパターン全体の第１の部分を形成し得る。第２のステーション内移動Ｍ２、及び任意の後続のステーション内移動の間に、堆積デバイス（複数可）２６は、インク液滴（又はピクセル）４２Ｂを第１のステーション内移動Ｍ１で堆積した液滴４２Ａの間に入れることができる。例えば、図８Ｄは、液滴４２Ｂの配列の１つの例を示しており、この配列は、所定のパターン全体の第２の部分を形成する。図８Ｅは、液滴４２Ｃの配列の１つの例を示しており、この配列は、所定のパターン全体の第３の部分を形成する。図８Ｆは、第４の液滴４２Ｄの配列を示し、この配列は、所定のパターン全体の残部を形成する。図８Ｃ〜図８Ｆに示すように、それぞれのステーション内移動（又はパス）の間に、同じ縦列内（図８Ｅ）、同じ横列内（図８Ｆ）、及び同じ縦列と横列との間（図８Ｄ）のいずれかにおいて前のステーション内移動で堆積したインク液滴の間にインク液滴を堆積させることができる。
【００４７】
図８Ａ〜図８Ｆに示されるもののような実施形態で堆積した、ピクセルを生成するインク液滴のパターンは、混合された又はインターリーブされたと見なされ得る。混合又はインターリーブ印刷の１つの利点は、印刷ヘッド２６上の作動しないノズル４０の１つ以上から生じる印刷画像のどの欠点も、そのような欠陥のあるノズル（複数可）を使用した単一のステーション内移動で全体の画像を印刷する場合より不明確になるだろうということである。インク液滴のパターンは、第２（又は後続のパス）で堆積したインク液滴が、第１のパスで堆積したインク液滴のマトリックス内に完全に存在するように、全体に混合又はインターリーブされてもよいが、そうである必要はないことを理解されたい。したがって、後続のパスで堆積したインク液滴が、前のパスで堆積したインク液滴のマトリックスと少なくとも部分的に重複する又はこれに入るだけでよい。
【００４８】
図１Ａ〜図１Ｃは、第１のステーション２５Ａにおいて少なくとも２つのステーション内移動が発生して所定のパターンの異なる部分を堆積させることができる１つの方法を示す。簡略化のために図１Ａ〜図１Ｃ（及び後続のいくつかの図）では、ホルダー３０は、図１に示されるより少ない物品を保持しているように示される（６個の物品に対して図１に示される１２個）。図１Ａ〜図１Ｃでは、印刷ヘッド２６Ａが移動し、物品（複数可）１０は、静止し続ける。
【００４９】
図１Ａは、２つのステーション内移動のうちの第１の移動Ｍ１を示す。この場合、第１のステーション内移動は、位置Ｐ１から位置Ｐ２への下向き（図１で軸Ａに対して平行）である。第１の物質堆積デバイス２６Ａは、下向きに移動しながら、物品１０上に物質２２Ａを堆積させる。第１の物質堆積デバイス２６Ａが、図７に示すようなインクジェット印刷ヘッドである場合、ノズル４０は、下向きに移動しながら物品１０上にインク液滴の縦の列を堆積させることになる。
【００５０】
第１のステーション内移動Ｍ１の多数の代替手段が考えられる。例えば、他の場合では、第１のステーション内移動Ｍ１は、上向きでもよい。更に別の場合では、物品１０を、コンベヤー２４上で平坦に配向し、図１に示す実施形態におけるようにコンベヤーの平面に対して垂直に配向されているホルダー内にあるのではなくコンベヤーの平面に対して平行に配向されている平面に保持（例えばホルダーによって）することができる。そのような場合では、第１のステーション内移動Ｍ１は、コンベヤーの軸Ａに対して内向き（又は外向き）であってもよい。そのような場合では、図１Ａは、側面図ではなく平面図になる（これらの可能性は全て、本明細書に記載の他の描画図形の全てに示される実施形態に当てはまることを理解されたい）。
【００５１】
第１のステーション内移動Ｍ１の開始後のいくつかの時点で、堆積材料２２に対して生じるオプションの固化する（若しくは安定させる）工程又は期間が存在してもよい。オプションの固化する工程が発生するかどうかは、物品１０上に堆積する材料のタイプに依存する。使用される材料２２が水性インクである場合、固化する若しくは安定させる工程又は期間は、インクの粘度が増大し、インクが少なくとも部分的に凝固するように、乾燥又はインクからの溶媒（水）の除去を伴うことがある。水性インクの場合においてインクの固化は、インクを加熱して乾燥する工程を含み得る。あるいは、インクの固化は、能動的な乾燥工程なしでインクを乾燥させる期間を伴い得る。使用される材料２２が、ＵＶ硬化性インクである場合、固化する又は安定させる工程は、典型的には、インクを紫外線に露出することによる光重合によって少なくとも部分的にインクを硬化する工程を伴うことになる。いずれの場合でも、固化する工程又は期間は、物品１０上に堆積した材料２２を少なくとも部分的に固化又は安定化させることになる。固化する工程又は期間は、物品上に堆積した材料２２を完全に固化又は安定化させ得るが、そうする必要はない。インク又は他の堆積材料２２が、プロセスの１段階で部分的にのみ固化される場合、後続の段階でより全体に、又は完全に固化又は硬化することができる。
【００５２】
任意の好適なデバイス５０を使用して、固化する又は安定化させる工程を実行することができる。堆積する材料に依存して、好適なデバイスとして、ドライヤー及び紫外線ランプが挙げられるが、これらに限定されない。固化する又は安定させる工程を実行するのに使用されるデバイスは、装置２０上の任意の位置にあるか、又は装置に隣接し得る。図１Ａは、デバイス５０が紫外線ランプの形状である１つの非限定的な実施形態を示す。紫外線ランプ５０は、印刷ヘッド２６Ａと同じ可動台上に位置している。デバイス５０は、移動の方向に印刷ヘッド２６Ａの後に続くように、印刷ヘッド２６Ａに隣接して位置付けられており、第１の印刷移動（又はパス）Ｍ１の開始後、かつ第２の印刷移動（又はパス）Ｍ２の開始前に、即座にＵＶインクを少なくとも部分的に硬化することができる。図１Ａに示される実施形態では、第１のステーション内印刷移動Ｍ１の完了前であっても堆積材料の一部の硬化を、開始することができる。
【００５３】
他の実施形態では、硬化又は固化する工程は、材料（例えば、インク）の堆積開始後すぐに開始する必要はない。そのような他の実施形態では、インクの堆積と第２の印刷移動（又はパス）Ｍ２の開始との間に任意の好適な遅延が存在し得る。例えば、硬化又は固化する工程は、第１の印刷移動（又はパス）Ｍ１の完了後まで開始する必要はない。硬化又は固化する工程は、第１の印刷移動Ｍ１で堆積したインク液滴が、別個の液滴として残る傾向を増大し、異なる印刷移動中に堆積したインク液滴が、融合し混合して不明瞭な画像を生成する傾向を低減することによって、印刷品質の向上に役立つ。
【００５４】
図１Ｂは、第１及び第２のステーション内移動Ｍ１とＭ２との間に生じ得るオプションのオフセットつまりシフトであるＳを示す。オプションのオフセットＳを使用して、印刷ヘッド２６Ａ（及びしたがって、印刷ヘッド上のノズル４０）の位置をシフトすることができ、その結果第１のステーション内移動Ｍ１中に印刷されたものと異なる物品１０の部分を印刷することになる。オプションのシフトＳは、第１のステーション内移動Ｍ１の終了と第２のステーション内移動Ｍ２の開始との間の任意の時間及び任意の場所で実行され得る。典型的に、オプションのシフトＳは、印刷動作Ｍ１の方向に対して垂直の方向になる。図１Ｂに示す実施形態では、オプションのシフトＳは、印刷ヘッド２６Ａが物品に対する印刷可動台の可動域の底部の位置（位置Ｐ２）にある第１のステーション内移動Ｍ１の終了時に生じる。シフトＳは、第１のステーション内移動Ｍ１と異なる方向になる、例えば、第１のステーション内移動Ｍ１の方向に対して左側又は右側のどちらかであり得る。図１Ａでは、シフトＳは、左側である。シフトＳの方向は、第１のステーション内移動Ｍ１の方向（又は第１のステーション内移動Ｍ１方向の線分）に対して垂直、又は０若しくは１８０度を除く任意の角度であり得る。例えば、シフトＳの方向は、ステーション内移動Ｍ１の方向に対して、時として９０又は２７０度がより多くの場合所望されながら、１〜１７９度、又は１８１〜３５９度、あるいは、３０〜１５０度、又は２１０〜３３０度の角度範囲内の所定の角度であり得る。オプションのシフトＳは、印刷プロセスが、高解像度画像を形成できるようにし得る。
【００５５】
図１Ｃは、第２のステーション内移動Ｍ２を示す。第２のステーション内移動Ｍ２の間に、第１の物質堆積デバイス２６Ａは、物品１０上に第２に適用する物質（第１の物質など）２２Ｂを堆積させて、所定のパターンの別の部分を形成する。示される実施形態では、第２のステーション内移動Ｍ２の間に、第１の物質堆積デバイス２６Ａは、上向きに移動しながら（Ｐ２からＰ１まで）、物品１０上に物質２２Ｂを堆積させることになる。第１の物質堆積デバイス２６Ａが、インクジェット印刷ヘッドである場合、上向きに移動しながら物品上にインク液滴２２Ｂの縦の列を堆積させることになる。第２のステーション内移動Ｍ２におけるノズル４０の位置は、第１のステーション内移動Ｍ１のノズル位置の間にインターレースされるので、第２のステーション内移動Ｍ２によって、印刷プロセスが高解像度画像を形成できるようになる。図１Ａ〜図１Ｃは、第２のステーション内移動Ｍ２後にインクを硬化するために第２の紫外線ランプ５０Ａを印刷ヘッド２６Ａと同じ可動台上の印刷ヘッドの下方に位置し得ることを示す。
【００５６】
第１のステーション内移動Ｍ１の場合のように、第２のステーション内移動Ｍ２の多数の代替手段も考えられる。第２のステーション内移動Ｍ２は、例えば、上記の考えられる第１のステーション内移動Ｍ１のいずれかと反対方向にすることができる。
【００５７】
図２Ａ〜図２Ｄは、第１のステーション２５Ａにおいて少なくとも２つのステーション内移動が発生し得る別の方法を示す。図２Ａ〜図２Ｄ（及び後続の図）は、簡略化のために紫外線ランプなしで示されている。任意の好適な固化又は硬化デバイスは、これらの実施形態のいずれかで提供され得る。図２Ａ〜図２Ｄでは、第１の物質堆積デバイス２６Ａが移動し、物品（複数可）１０は、図１Ａ〜図１Ｃに示される実施形態の場合のように静止し続ける。図２Ａに示される第１の物質堆積デバイス２６Ａの移動は、図１Ａに示されるものと同じである。図２Ｂ〜図２Ｄは、それらの図が代替的な実施形態を示すという点で異なり、それらの実施形態で、印刷ヘッド２６Ａなどの堆積デバイスは、元の位置Ｐ１（図２Ｂ及び図２Ｃに示されるような）に戻る非印刷リセットＲを受け得る。そのような場合では、液滴２２Ｂ（図２Ｄに示されるように）を堆積させる第２のステーション内移動Ｍ２は、第１のステーション内移動Ｍ１と同じ方向にすることができる。
【００５８】
オプションのシフトＳ及びリセットＲの両方が存在する図２Ａ〜図２Ｄに示されるような実施形態において、シフト及びリセットは、任意の方法及び順序で発生し得る。例えば、シフトＳは、物質堆積デバイス２６Ａの移動の上限及び下限の頂部若しくは底部（それぞれＰ１及びＰ２）で、又はその間のいくつかの場所で実行され得る。シフトＳ及びリセットＲは、図面に示されるように別個に発生し得る（シフト又はリセットのうち１つは他方の前に実行され、異なる移動は直角をなしている）。あるいは、シフト及びリセットは、同時に実行され得る（物質堆積デバイス２６Ａはシフト及びリセットされた位置に対して対角線上に移動する）。
【００５９】
図３Ａ〜図３Ｃは、第１のステーション２５Ａにおいて少なくとも２つのステーション内移動が発生し得る別の方法を示す。図３Ａ〜図３Ｃでは、物品（複数可）１０（又は中に物品（複数可）を有するホルダー３０）が移動し、第１の物質堆積デバイス２６Ａ（印刷ヘッド）は、静止し続ける。図３Ａ及び図３Ｃに示される物品１０の相対移動は、図１Ａ〜図１Ｃに示される第１の物質堆積デバイス２６Ａの移動と同様である。図３Ａは、物品１０の２つのステーション内移動のうちの第１の移動Ｍ１、つまり位置Ｐ１からＰ２（その位置は、参照点をホルダー３０の頂部として移動の限界であると示される）までの物品１０の下向きの移動を示す。図３Ｂは、ステーション内移動の間の物品１０のオプションのオフセット／シフトＳを示す。図３Ｂに示されるように、シフトＳは、右側である。図３Ｃは、２つのステーション内移動Ｍ２のうちの第２の移動の終了付近の物品１０の位置、位置Ｐ１に戻る物品１０の上方を示す。
【００６０】
図４Ａ〜図４Ｄは、第１のステーション２５Ａにおいて少なくとも２つのステーション内移動が発生し得る別の方法を示す。図４Ａ〜図４Ｄでは、物品（複数可）１０（又は中に物品（複数可）を有するホルダー３０）が移動し、印刷ヘッド２６Ａは、静止し続ける。図４Ａに示される物品１０の移動は、図３Ａに示されるものと同じである。図４Ａ〜図４Ｄは、図４Ｂ〜図４Ｄが代替的な実施形態を示すという点で異なり、それらの実施形態で、物品１０は、元の位置Ｐ１に戻るリセットＲ（図４Ｂに示されるように）及び元の位置Ｐ１でのシフトＳを受け得る。そのような場合では、物品１０（図４Ｄに示されるように）の第２のステーション内移動Ｍ２は、第１のステーション内移動Ｍ１と同じ方向にすることができる。オプションの印刷ヘッドのリセットＲ及びシフトＳの場合のように、物品１０のリセット及びシフトは、任意の方法及び順序で発生し得る。
【００６１】
物品１０上に物質２２を堆積させる際のステーション内移動間で発生し得るオプションのリセットＲ及びシフトＳに加えて、ステーション内移動中に移動を経験する構成要素は、必要に応じて、１つの物品（又は物品グループ）の最後のステーション内移動の後で、かつ次の物品（又は物品グループ）の第１のステーション内移動の前に最初の位置まで後退する更なる位置回復を受け得る。
【００６２】
図５は、少なくとも１つの物品１０に物質を堆積させるための装置２０の代替的な実施形態を示す。図５に示す実施形態において、物品コンベヤー２４は、レーストラック構成である。このタイプのコンベヤーは、進行路の少なくとも一部の間にコンベヤー２４及び物品１０が周りを回転する２本の平行な軸を有する。これらの軸は、Ａ１及びＡ２に指定されている。図５に示される装置２０は、その方向（水平又は垂直）、及びコンベヤー２４に対する堆積デバイス（複数可）２６の配置、及びその上にある物品ホルダー３０の配置が挙げられるがこれらに限定されない、図１に示される装置に関して上述した特性のいずれかを有することができる。そのようなレーストラックの実施形態では、図５に示すように、堆積デバイス（複数可）２６がレーストラック状の経路の末端部３２の一方に位置するか、レーストラック状の経路の側部３４の一方に沿って位置するかに応じて、物品（複数可）１０が堆積デバイス（複数可）２６を通過して曲線経路又は線形経路上のいずれかを移動するように、堆積デバイス（複数可）２６を配置することが可能である。図５は、オプションの前処理デバイス４８及び硬化デバイス５０も示す。
【００６３】
方法の様々な実施形態は、特定の属性を有し得る。第１のステーション２５Ａで第１のステーション内移動Ｍ１の間に適用される物質２２Ａは、第１のステーション２５Ａで後続のステーション内移動の間に適用される物質２２Ｂと同じにすることができる。例えば、第１のステーション２５Ａで少なくとも２つのステーション内移動の間に同じ色のインクを印刷することができる。他の実施形態では、第１のステーション２５Ａにおける後続のステーション内移動のいくつか又は全ての間に適用された物質２２Ｂは、第１のステーション内移動Ｍ１の間に第１のステーションで適用された物質２２Ａと異なり得る。これらの後の方の実施形態において、第１のステーション２５Ａで後続のステーション内移動の間に適用された物質２２Ｂは、第１のステーション内移動Ｍ１の間に第１のステーションで適用された物質２２Ａと、色、香料、化学的性質、光沢即ち艶、粘度などが挙げられるがこれらに限定されない少なくとも１つの組成特性において異なり得る。
【００６４】
本明細書に記載された装置２０及び方法によって、任意の所定のパターンのどの部分でも、各ステーション内移動の間に物品に適用することができるようになることが理解されよう。各ステーション内移動の間にインクの所定のパターンの任意の部分を印刷することに加えて、所定のパターンはまた、インクの下のオプションの下塗り及び／又はインクの上に配置されたクリアコートなどのオプションの保護コートも含み得る。そのような場合において、必要に応じて、オプションの下塗りを、インクの所定のパターンの全て又は一部のみの下に適用してもよい。同様に、必要に応じて、クリアコートを、インクの所定のパターンの全て又は一部のみの上に塗布してもよい。
【００６５】
インクの所定のパターンは、それぞれ物品１０と同じにしてもよいか、又は物品によって異なってもよい。例えば、インクの同じ所定のパターンを、所与のホルダー３０内の物品１０全てに、又は装置上の全てのホルダー３０の物品１０全てに適用することができる。他の実施形態では、印刷はコンピュータ制御されるので、異なる所定のパターンを所与のホルダー内の異なる物品又はそれぞれ異なるホルダー内の物品に適用することができる。
【００６６】
第１のステーション２５Ａで適用された物質は、第２のステーション２５Ｂ、又は後続のステーションで適用された物質と同じにすることができる。他の実施形態では、第２又は後続のステーションで適用された物質は、第１のステーション２５Ａで適用された物質と異なり得る。これらの後の方の実施形態において、第２のステーション２５Ｂ又は後続のステーションで適用された物質は、第１のステーション２５Ａで適用された物質と、色、香料、化学的性質、光沢即ち艶、粘度などが挙げられるがこれらに限定されない少なくとも１つの組成特性において異なり得る。同じコンベヤー上の別個の物品グループ（異なるホルダー内など）に同時に異なる物質を適用する印刷ヘッド２６などの多数の堆積デバイスを有することが所望される場合がある。多数の物質堆積デバイスが、同時に異なる物品グループで動作している場合、そのことが出力の増大をプロセスにもたらすであろう。
【００６７】
図１Ａ〜図４Ｄにおいて様々な図のグループで示されるステーション内移動は、図１、５、及び６に示される異なるタイプのコンベヤー２４上の、又は任意の他の好適なコンベヤー上のステーションのいずれかで実行され得る。このように、装置及び方法は、図面に示された例に限定されない。これらのコンベヤーの構成及び堆積デバイス２６の法平面ＰＮがどのように配向されているかに関わらず、図９は、これらの場合のそれぞれで、ステーション内移動Ｍ１及びＭ２の間の物品１０及び／又は堆積デバイス２６を移動させる工程が、物品（複数可）１０及び／又は堆積デバイス２６が物品（複数可）に物質を堆積する間、互いに対して実質的に並進（スライド又は線形動作）によって移動するような工程であることを示す。即ち、物品１０と堆積デバイス２６との間の相対動作は、実質的に並進である。場合によっては、物品１０と堆積デバイス２６との間の相対動作は、単に並進であり得る。そのような場合において、堆積デバイス２６に対する物品１０自身の軸を中心とした物品１０の回転移動は存在しないであろう。
【００６８】
他のタイプの相対動作もまた可能である。例えば、特定の実施形態において、堆積デバイス２６に物品の異なる部分を提示するために物品１０を移動させることが所望される場合がある。場合によっては、回転コンポーネント（又は２次動作）を並進による移動（物質堆積中の主要な移動）に追加することができる。しかしながら、物品自身の軸を中心とした物品１０の任意の回転は、３６０度未満、あるいは約２７０度以下、あるいは約１８０度以下、あるいは約９０度以下、あるいは０超及び９０度未満であるほとんど任意の回転の角度以下とする必要がある。他の場合において、物品１０は、第１のステーション２５Ａと後続のステーション（複数可）との間で任意の好適な方法で回動又は回転させることができる。
【００６９】
ステーション内移動Ｍ１、Ｍ２などは、インク液滴を別の液滴が隣接して配置される前に所望される形状へと、より十分に形成させることによって、装置及び方法がより良好な印刷品質を提供できるようになると考えられている。結果として、１つのステーション内移動の間に堆積する１滴が、別のステーション内移動の間に堆積した隣接する液滴又は複数の液滴ににじむ傾向が減少するだろう。
【００７０】
多数の代替的な実施形態並びに／又は装置及び方法のオプションの追加の構成要素が考えられる。２つ以上の堆積デバイス２６が存在する場合、１つ以上の堆積デバイスは、移動可能であってもよく、１つ以上の堆積デバイスは、静止してもよい。２つ以上の移動可能な堆積デバイス（印刷ヘッド２６など）が存在する場合、異なる印刷ヘッド２６は、全て同じ移動タイプによって移動してもよい。あるいは、特定の印刷ヘッド２６は、１つの移動タイプによって移動することができ、他の印刷ヘッド２６は、異なる移動タイプによって移動することができる。
【００７１】
加えて、装置２０は、コンベヤー２４に沿って任意の所望の位置に位置付けられる１つ以上のオプションの追加のステーション及びデバイス（物質堆積デバイス以外）を更に含み得る。追加のデバイスは、追加のステーションにある間に物品１０上で機能を実行するための機能デバイスを含み得る。機能デバイスとしては、追加の物質堆積デバイス、物品を処理するためのデバイス（例えば、物品の表面を処理する、又は物品に適用される物質を硬化するためのデバイス）、物品を装飾するためのデバイス（例えば、金属箔の適用）、物品の特性を変えるためのデバイス（例えば、レーザー）、又はこれらの組み合わせを挙げることができるが、それらに限定されない。
【００７２】
そのような追加のデバイスとしては、イオン化空気清浄デバイス、火炎処理デバイス、コロナ処理デバイス、及びプラズマジェット処理デバイスなど、物品の表面を処理するための前処理デバイス４８を挙げることができるが、これらに限定されない。例えば、必要に応じて、物品１０の表面を印刷の前に処理することができる。
【００７３】
そのような追加のデバイスとしてはまた、印刷又はその他の処理（紫外線（ＵＶ）光源又は電子ビーム源など）後に物品を乾燥又は硬化するためのデバイス５０を挙げることもできる。必要に応じて、堆積材料２２を、各ステーションにおいて又はその後を含む、任意のステーションにおいて又はその後に硬化してもよい。例えば、物質２２がＵＶ反応性インクである場合、そのようなインクを、１つ以上のステーションにおいて又はその後に紫外線又は電子ビームへの露出によって硬化することができる。
【００７４】
そのような追加デバイスはまた、物品の配向のためのデバイスも含んでもよい。物品の配向のためのデバイスの例は、物品（複数可）１０を保管すること、視覚システムを使用して、物品（複数可）の特定の位置における視覚的表示器を識別すること、及び視覚的表示器を基にした（based of）特定の方法で物品（複数可）を配向するのに使用されるデバイスを含むことを目的として使用されるデバイスを含むステーションである。
【００７５】
オプションの又は代替のステーション及びプロセス工程のいくつかの例を下記に示す。１つの実施形態では、物品１０の少なくとも一部は、構造化硬化ワニスコーティング（structured cured varnish coating）が行われる。構造化硬化ワニスコーティングは、以下の工程、つまり、１）容器などの物品を提供する工程、２）物品に対して放射線硬化性ワニスの層を適用する工程（印刷ステーションで行なわれ得る）、３）構造化マスターフィルムの使用によって放射線硬化性ワニスの層にパターンを押し付ける工程、４）マスターフィルムをワニス層に押し付けながらワニスを硬化させる工程、及び５）マスターフィルムを除去する工程によって形成され得る。物品に構造化硬化ワニスコーティングを提供するための方法の更なる詳細は、「Ｍｏｌｄｅｄ  Ｃｏｎｔａｉｎｅｒ  ｗｉｔｈ  ａ  Ｓｔｒｕｃｔｕｒｅｄ  Ｖａｒｎｉｓｈ  Ｃｏａｔｉｎｇ」（Ｐ＆Ｇ  Ｃａｓｅ  １２６１６）と題する米国特許出願公開第２０１４／０１３１３５２号に記載されている。
【００７６】
上述のように、装置２０はまた、装飾ステーションも備えることができる。装飾ステーションは、物品１０への材料の堆積を用いて、若しくは物品の特性の転換によって、又はそれらの組み合わせで視覚、触覚、又は嗅覚の効果が適用されるステーションである。物品への材料の堆積をしないで物品の特性を転換する例は、レーザーによって物品の表面に画像を付与することである。単一の装飾ステーションを使用して、単一の装飾効果又は多数の装飾効果を適用することができる。あるいは、多数の装飾ステーションを使用して、装飾効果（複数可）を適用することができる。装飾は、物品１０への物質の印刷の前又は後に行なってもよい。
【００７７】
いくつかの実施形態では、装飾ステーションは、物品に対する金属性物質の適用を含んでもよい。金属製物質は、箔であってもよい。箔適用ステーションは、ホット又はコールド箔プロセスのいずれかであってもよい。工程は、任意の好適な方法で実行することができる。コールド箔プロセスの場合において、コールド箔適用ステーション（又は複数ステーション）は、物品に次の工程、つまり、１）物品に接着剤を所定のパターンで堆積させること（デジタル的な堆積を含む）、２）接着剤に金属箔を押し付けること、３）接着剤を少なくとも部分的に硬化させること、及び４）接着剤を堆積させたところに金属性効果を残すために、箔を除去すること、を実行することができる。あるいは、コールド箔適用ステーションは、次の工程、つまり、１）物品に粘着性の低い材料を所定のパターンで堆積させること、２）材料を粘着性の高い感圧性接着剤に転換すること、３）接着剤に金属箔を押し付けること、及び４）接着剤を堆積させたところに金属性効果を残すために、箔を除去すること、を実行することができる。材料を粘着性の高い感圧性接着剤に転換することは、熱活性化又は光重合が挙げられるがこれらに限定されない任意の好適な方法で行うことができる。
【００７８】
必要に応じて、箔は、箔に適用された受容コーティング又はプライマーを有することができ、その受容コーティング又はプライマーは箔に対して所望されるインクの接着を得るために、箔適用後に行ない得る印刷プロセスによって重ね刷り可能（over-printable）である。場合によっては、受容コーティング又はプライマーは、ラッカーであってもよい。必要に応じて、保護コーティング（適用されたラッカーなど）を、箔を適用した後に適用して、箔及びその上に印刷された全てのインクを保護することができる。
【００７９】
図１０Ａ及び１０Ｂは、コールド箔プロセスの２つの実施形態を示す。物品１０は、線形の搬送方向に搬送されているように図１０Ａ及び１０Ｂに示されるが、そのようなコールド箔プロセスは、本明細書に記載されるコンベヤー２４の異なるタイプのステーション２５のいずれかで実行され得ることを理解されたい。
【００８０】
図１０Ａは、物品１０に接着剤５２を堆積させる第１の工程を実施するためのステーション２５Ｂを示す。接着剤５２は、ＵＶ硬化性、感圧性、又は両方が挙げられるがこれらに限定されない任意の好適なタイプであってよい。接着剤５２は、任意の好適な方法で適用することができる。場合によっては、接着剤の精密な位置のためにインクジェット印刷プロセスによってなどデジタルアプリケーションプロセスによって接着剤５２を堆積させることが所望されることがある。これは、第１のステーション２５Ａで使用されるものと類似したインクジェット印刷ヘッド２６を使用することによって実行することができる。接着剤５２を適用するプロセスは、単一の移動、又は第１のステーション２５Ａにおけるように少なくとも２つのステーション内移動で実行され得る。
【００８１】
図１０Ａはまた、コールド箔プロセスの第２のステーション２５Ｃの一実施形態を示す。第２のステーション２５Ｃにおいて装置は、裏材６４の上に金属性物質６２を含む巻き出しロール６０、巻き取りロール６６、感圧性接着剤を使用した場合は裏材６４とその上の金属性物質６２を共に物品（複数可）に押し付けるためのロール７０、及びＵＶ硬化性接着剤を物品（複数可）に適用した場合は接着剤を少なくとも部分的に硬化させるためのデバイス７２を備える。第２のステーション２５Ｃにおける工程は、２）接着剤の上に金属箔を押し付ける工程、３）接着剤を少なくとも部分的に硬化させる工程、及び４）接着剤を堆積させたところに金属性効果を残すために、箔及びあらゆる未転写の金属を除去する工程を含む。
【００８２】
図１０Ｂは、同様であるが、工程（２）〜（４）を実施するコールド箔プロセスの第２のステーション２５Ｃの別の実施形態によるステーション２５Ｂを示す。図１０Ｂに示す実施形態は、図１０Ａに示す実施形態とは圧盤７４が位置決めロール７６と７８との間に位置する点で異なる。圧盤７４は、次のように、箔６２を接着剤５２の上に押し付けるために使用される：１）物品１０を接着剤と共に圧盤７４の下にインデックスする、２）圧盤７４が物品１０上の接着剤５２の上に箔６２を押し付けながら物品１０に向かって移動する、３）接着は、ＵＶ接着剤を硬化させること、又は高い粘着特性を既に有する接着剤の性質のいずれかによって、箔６２と物品１０との間に得られる、４）接着剤５２を適用したところに金属性効果を残してフィルムキャリア６４及びあらゆる未転写の金属を除去する。
【００８３】
所望される所定の画像を物品（複数可）１０に適用した後、物品グループにおける物品（複数可）は、更なる処理のためにコンベヤー２４によって別のコンベヤー又は装置へ運ばれてもよい。例えば、物品（複数可）１０がボトルである場合、ボトルは、コンベヤー２４から充填装置、及びふた締め機へ運ばれてもよい。
【００８４】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「９０°」として開示された寸法は、「約９０°」を意味するものとする。
【００８５】
本明細書の全体を通して記載される全ての最大数値限定は、それよりも小さい全ての数値限定を、そのようなより小さい数値限定があたかも本明細書に明確に記載されているかのように包含するものと理解すべきである。本明細書全体を通して記載される全ての最小数値限定は、それよりも高い全ての数値限定を、そのようなより高い数値限定があたかも本明細書に明確に記載されているかのように包含する。本明細書全体を通して記載され全ての数値範囲は、そのようなより広い数値範囲内に入るより狭い全ての数値範囲を、そのようなより狭い数値範囲が全て本明細書に明確に記載されているかのように包含する。
【００８６】
「発明を実施するための形態」の中で引用された全ての文献は、関連部分において本明細書に参照により援用されている。いかなる文書の引用も、それが本発明に対する先行技術であることを認めるものとして解釈されるべきではない。本明細書における用語のいずれかの意味又は定義が、参照により組み込まれる文献における用語のいずれかの意味又は定義と対立する範囲においては、本明細書においてその用語に付与した意味又は定義を適用するものとする。
【００８７】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2018532614.tif 000003
【図１Ａ】
2018532614.tif 000004
【図１Ｂ】
2018532614.tif 000005
【図１Ｃ】
2018532614.tif 000006
【図２Ａ】
2018532614.tif 000007
【図２Ｂ】
2018532614.tif 000008
【図２Ｃ】
2018532614.tif 000009
【図２Ｄ】
2018532614.tif 000010
【図３Ａ】
2018532614.tif 000011
【図３Ｂ】
2018532614.tif 000012
【図３Ｃ】
2018532614.tif 000013
【図４Ａ】
2018532614.tif 000014
【図４Ｂ】
2018532614.tif 000015
【図４Ｃ】
2018532614.tif 000016
【図４Ｄ】
2018532614.tif 000017
【図５】
2018532614.tif 000018
【図６】
2018532614.tif 000019
【図７】
2018532614.tif 000020
【図８Ａ】
2018532614.tif 000021
【図８Ｂ】
2018532614.tif 000022
【図８Ｃ】
2018532614.tif 000023
【図８Ｄ】
2018532614.tif 000024
【図８Ｅ】
2018532614.tif 000025
【図８Ｆ】
2018532614.tif 000026
【図９】
2018532614.tif 000027
【図１０Ａ】
2018532614.tif 000028
【図１０Ｂ】
2018532614.tif 000029
【国際調査報告】
2018532614.tif 000030
2018532614.tif 000031
2018532614.tif 000032